(57)【要約】【課題】  自己の設定とコンフリクトを起こしている機能を明示し、分かりやすく使いやすい画像処理装置を提供する。【解決手段】  本発明による画像処理装置は、画像処理に関連した機能を表示画面上にキー表示する表示手段と、１の機能が設定済の他の機能と排他的な関係にあるか否かを判定する判定手段と、前記判定手段により排他的な関係にあると判定された機能に対応する、前記表示画面上のキー表示を、他の機能のキー表示とは異なる方法であるコンフリクト表現でなすように、前記表示手段を制御する制御手段と、を備えることを特徴とする。【選択図】  図９
2006119542.tif 000002
【特許請求の範囲】
【請求項１】
画像処理に関連した機能を表示画面上にキー表示する表示手段と、
１の機能が設定済の他の機能と排他的な関係にあるか否かを判定する判定手段と、
前記判定手段により排他的な関係にあると判定された機能に対応する、前記表示画面上のキー表示を、他の機能のキー表示とは異なる方法であるコンフリクト表現でなすように、前記表示手段を制御する制御手段と、
を備えることを特徴とする画像処理装置。
【請求項２】
前記制御手段は、前記コンフリクト表現で表示されたキーが押下された場合に、この押下されたキーの機能と排他的な関係にある他の機能を前記表示画面上に表示するように、前記表示手段を制御することを特徴とする請求項１に記載の画像処理装置。
【請求項３】
前記制御手段は、前記表示画面上に特定表示領域を設け、前記コンフリクト表現されたキーの機能と排他的な関係にある他の機能を表示するように、前記表示手段を制御することを特徴とする請求項２に記載の画像処理装置。
【請求項４】
前記コンフリクト表現は、対応するキー表示に所定のマークを表示することであることを特徴とする請求項１乃至３の何れか１項に記載の画像処理装置。
【請求項５】
前記コンフリクト表現は、対応するキー表示の背景色を他のキー表示とは異ならしめることであることを特徴とする請求項１乃至３の何れか１項に記載の画像処理装置。
【請求項６】
前記コンフリクト表現は、対応するキー表示の文字の色を他のキー表示の文字の色とは異ならしめることであることを特徴とする請求項１乃至３の何れか１項に記載の画像処理装置。
【請求項７】
前記コンフリクト表現は、対応するキー表示を網掛けにすることであることを特徴とする請求項１乃至３の何れか１項に記載の画像処理装置。
【請求項８】
前記制御手段は、前記特定表示領域に、前記コンフリクト表現がなされているキーの機能と排他的な関係にある機能の名称を表示するように、前記表示手段を制御することを特徴とする請求項３に記載の画像処理装置。
【請求項９】
前記制御手段は、前記特定表示領域に、前記コンフリクト表現がなされているキーの機能と排他的な関係にある機能の設定画面を呼び出すための機能呼び出しキーを表示するように、前記表示手段を制御することを特徴とする請求項３に記載の画像処理装置。
【請求項１０】
前記制御手段は、前記機能呼び出しキーを押下することによって呼び出された設定画面を閉じると、前記特定表示領域の表示もオフにするように、前記表示手段を制御することを特徴とする請求項９に記載の画像処理装置。
【請求項１１】
前記コンフリクト表現がなされているキーの機能と排他的な関係にある機能が複数ある場合でも、前記特定表示領域に表示される機能は一種類であることを特徴とする請求項８又は９に記載の画像処理装置。
【請求項１２】
前記コンフリクト表現がなされているキーの機能と排他的な関係にある機能が複数ある場合には、前記特定表示領域に表示される機能は複数種類あることを特徴とする請求項８又は９に記載の画像処理装置。
【請求項１３】
画像処理に関連した機能を表示画面上にキー表示する表示工程と、
１の機能が設定済の他の機能と排他的な関係にあるか否かを判定する判定工程と、
前記判定工程で排他的な関係にあると判定された機能に対応する、前記表示画面上のキー表示を、他の機能のキー表示とは異なる方法であるコンフリクト表現でなすように、キー表示動作を制御する制御工程と、
を備えることを特徴とする画像処理方法。
【請求項１４】
前記制御工程は、前記コンフリクト表現で表示されたキーが押下された場合に、この押下されたキーの機能と排他的な関係にある他の機能を前記表示画面上に表示するように、前記表示動作を制御することを特徴とする請求項１３に記載の画像処理方法。
【請求項１５】
前記制御工程は、前記表示画面上に特定表示領域を設け、前記コンフリクト表現されたキーの機能と排他的な関係にある他の機能を表示するように、前記表示動作を制御することを特徴とする請求項１４に記載の画像処理方法。
【請求項１６】
前記コンフリクト表現は、対応するキー表示に所定のマークを表示することであることを特徴とする請求項１３乃至１５の何れか１項に記載の画像処理方法。
【請求項１７】
前記コンフリクト表現は、対応するキー表示の背景色を他のキー表示とは異ならしめることであることを特徴とする請求項１３乃至１５の何れか１項に記載の画像処理方法。
【請求項１８】
前記コンフリクト表現は、対応するキー表示の文字の色を他のキー表示の文字の色とは異ならしめることであることを特徴とする請求項１３乃至１５の何れか１項に記載の画像処理方法。
【請求項１９】
前記コンフリクト表現は、対応するキー表示を網掛けにすることであることを特徴とする請求項１３乃至１５の何れか１項に記載の画像処理方法。
【請求項２０】
前記制御工程は、前記特定表示領域に、前記コンフリクト表現がなされているキーの機能と排他的な関係にある機能の名称を表示するように、前記表示動作を制御することを特徴とする請求項１５に記載の画像処理方法。
【請求項２１】
前記制御工程は、前記特定表示領域に、前記コンフリクト表現がなされているキーの機能と排他的な関係にある機能の設定画面を呼び出すための機能呼び出しキーを表示するように、前記表示動作を制御することを特徴とする請求項１５に記載の画像処理方法。
【請求項２２】
前記制御工程は、前記機能呼び出しキーを押下することによって呼び出された設定画面を閉じると、前記特定表示領域の表示もオフにするように、前記表示動作を制御することを特徴とする請求項２１に記載の画像処理方法。
【請求項２３】
前記コンフリクト表現がなされているキーの機能と排他的な関係にある機能が複数ある場合でも、前記特定表示領域に表示される機能は一種類であることを特徴とする請求項２０又は２１に記載の画像処理方法。
【請求項２４】
前記コンフリクト表現がなされているキーの機能と排他的な関係にある機能が複数ある場合には、前記特定表示領域に表示される機能は複数種類あることを特徴とする請求項２０又は２１に記載の画像処理方法。
【請求項２５】
請求項１３乃至２４の何れか１項に記載の画像処理方法を実行することを特徴とするコンピュータプログラム。
【請求項２６】
請求項２５に記載のコンピュータプログラムを格納したことを特徴とするコンピュータ読み取り可能な記憶媒体。
【発明の詳細な説明】
【技術分野】
【０００１】
本発明は、画像処理装置において所定の機能を選択した場合に、その選択された機能と排他的に動作する機能を明示する画像処理装置に関する。
【背景技術】
【０００２】
画像処理の所定の機能、例えば、複写機におけるコピー設定の中には互いに排他的なものがある。このような排他的な関係にある設定間においては、一方を選択すると他方が選択不能になる（先優先）か、または他方の選択により先に行われた設定を解除する（後優先）などの設定方法がとられてきた。
【特許文献１】特開２００１−２３５９７６号公報
【発明の開示】
【発明が解決しようとする課題】
【０００３】
しかし、これらの設定方法では、なぜその設定ができないのか（先優先）とか、なぜその設定が勝手に解除されているのか（後優先）など、ユーザにとって分かりにくく、かつではどうすれば望む設定ができるのかを知ることが難しかった。
【０００４】
よって、ユーザが複写機を使いこなすにはそれ相応の熟練度が必要とされ、特に熟練度が浅いユーザにとっては使い勝手が非常に悪いものであった。
【０００５】
本発明は前述のような問題点を解決するためになされたものであり、自己の設定とコンフリクトを起こしている機能を明示し、分かりやすく使いやすい画像処理装置を提供するものである。
【課題を解決するための手段】
【０００６】
上記課題を解決するために、本発明による画像処理装置は、画像処理に関連した機能を表示画面上にキー表示する表示手段と、１の機能が設定済の他の機能と排他的な関係にあるか否かを判定する判定手段と、前記判定手段により排他的な関係にあると判定された機能に対応する、前記表示画面上のキー表示を、他の機能のキー表示とは異なる方法であるコンフリクト表現でなすように、前記表示手段を制御する制御手段と、を備えることを特徴とする。
【０００７】
また、本発明による画像処理方法は、画像処理に関連した機能を表示画面上にキー表示する表示工程と、１の機能が設定済の他の機能と排他的な関係にあるか否かを判定する判定工程と、前記判定工程で排他的な関係にあると判定された機能に対応する、前記表示画面上のキー表示を、他の機能のキー表示とは異なる方法であるコンフリクト表現でなすように、キー表示動作を制御する制御工程と、を備えることを特徴とする。
【０００８】
さらなる本発明の特徴は、以下本発明を実施するための最良の形態および添付図面によって明らかになるものである。
【発明の効果】
【０００９】
以上のような構成を備える本発明によれば、ユーザにとって分かりやすく使いやすい画像処理装置を提供することができるようになる。
【発明を実施するための最良の形態】
【００１０】
Ａ．第１の実施形態
以下で図を用いて本発明に係る画像処理装置の第１の実施形態について詳細に説明する。なお、ここでは画像処理装置の具体例として複写機を挙げて説明する。
【００１１】
＜複写機の構成＞
図１は、複写機１００の主要部の構成を示すブロック図である。複写機１００はコントローラユニット２００を含み、コントローラユニット２００には、画像入力デバイスであるスキャナ１４０や画像出力デバイスであるプリンタ１５０が接続されるとともに、操作部１１０が接続される。コントローラユニット２００は、スキャナ１４０で読み取られた画像データをプリンタ１５０により印刷出力するコピー機能を実現するための制御を行うとともに、ＬＡＮ１２０や公衆回線１３０（ＷＡＮ）に接続することによって、画像情報やデバイス情報の入出力を行うための制御を行う。
【００１２】
コントローラユニット２００は、具体的には、ＣＰＵ２０１を有し、ＣＰＵ２０１は、ＲＯＭ２０３に格納されているブートプログラムによりオペレーションシステム（ＯＳ）を立ち上げ、このＯＳ上で、ＨＤＤ（ハードディスクドライブ）２０４に格納されているアプリケーションプログラムを実行し、これによって各種処理を実行する。このＣＰＵ２０１の作業領域としてはＲＡＭ２０２が用いられる。ＲＡＭ２０２は、作業領域を提供するとともに、画像データを一時記憶するための画像メモリ領域を提供する。ＨＤＤ２０４は、上記アプリケーションプログラムや画像データを格納する。
【００１３】
ＣＰＵ２０１には、システムバス２０７を介して、ＲＯＭ２０３およびＲＡＭ２０２とともに、操作部Ｉ／Ｆ（操作部インタフェース）２０６、ネットワークＩ／Ｆ（ネットワークインタフェース）２０９、モデム２１０およびイメージバスＩ／Ｆ（イメージバスインタフェース）２０５が接続される。
【００１４】
操作部Ｉ／Ｆ２０６は、タッチパネルを有する操作部１１０とのインタフェースであり、操作部１１０に表示すべき画像データを操作部１１０に対して出力する。また、操作部Ｉ／Ｆ２０６は、操作部１１０においてユーザにより入力された情報をＣＰＵ２０１に送出する。
【００１５】
次に、ネットワークＩ／Ｆ２０９は、ＬＡＮ１２０に接続され、ＬＡＮ１２０を介してＬＡＮ１２０上の各装置との間で情報の入出力を行う。モデム２１０は、公衆回線１３０に接続され、公衆回線１３０を介して情報の入出力を行う。
【００１６】
イメージバスＩ／Ｆ２０５は、システムバス２０７と、画像データを高速で転送する画像バス２０８とを接続し、データ形式を変換するためのバスブリッジである。画像バス２０８は、ＰＣＩバスまたはＩＥＥＥ１３９４から構成される。画像バス２０８上には、ラスタイメージプロセッサ（以下、「ＲＩＰ」という）２１１、デバイスＩ／Ｆ２１２、スキャナ画像処理部２１３、プリンタ画像処理部２１４、画像回転部２１５、および画像圧縮部２１６が設けられる。
【００１７】
ＲＩＰ２１１は、ＰＤＬコードをビットマップイメージに展開するプロセッサである。デバイスＩ／Ｆ２１２には、スキャナ２０７およびプリンタ１５０が接続され、デバイスＩ／Ｆ２１２は、画像データの同期系／非同期系の変換を行う。スキャナ画像処理部２１３は、入力画像データに対し補正、加工、編集を行う。プリンタ画像処理部２１４は、プリント出力画像データに対してプリンタ１５０に応じた補正、解像度変換などを行う。画像回転部２１５は、画像データの回転を行う。画像圧縮部２１６は、多値画像データをＪＰＥＧデータに、２値画像データをＪＢＩＧ、ＭＭＲ、ＭＨなどのデータに圧縮するとともに、その伸張処理を行う。
【００１８】
次に、スキャナ１４０およびプリンタ１５０のハードウェア構成について図２を参照して説明する。
【００１９】
図２は、図１に示すスキャナ１４０およびプリンタ１５９のハードウェア構成を示す側断面図である。
【００２０】
スキャナ１４０とプリンタ１５０とは、図２に示すように、一体的に構成されている。スキャナ１４０は、原稿給紙ユニット４５０を搭載し、原稿給紙ユニット４５０は、原稿を先頭から順に１枚ずつプラテンガラス４１１上へ給送し、各原稿の読取動作が終了する毎に、その原稿をプラテンガラス４１１から排出トレイ（図示せず）に排出する。スキャナ１４０は、原稿がプラテンガラス４１１上に給送されると、ランプ４１２を点灯し、移動ユニット４１３の移動を開始する。この移動ユニット４１３の移動によりプラテンガラス４１１上の原稿に対する読取走査が行われる。この読取走査中、原稿からの反射光は、各ミラー４１４，４１５，４１６およびレンズ４１７を経てＣＣＤイメージセンサ（以下、「ＣＣＤ」という）４１８に導かれ、原稿上の画像がＣＣＤ４１８の撮像面上に結像される。ＣＣＤ４１８は、撮像面に結像された画像を電気信号に変換し、この電気信号が所定の処理施された後に制御装置（図示せず）に入力される。
【００２１】
プリンタ１５０は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２２】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００２３】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２４】
図３は、図１に示す操作部１１０の構成を示す平面図である。
【００２５】
ＬＣＤ表示部１１１は、ＬＣＤ上にタッチパネルシートが貼られた構造となっており、複写機１００の操作画面を表示するとともに、該画面に表示されたキーが押されるとその位置情報をコントローラユニット２００のＣＰＵ２０１に伝える。スタートキー１１２は、原稿画像の読み取り動作を開始する時などに用いられる。スタートキー１１２の中央部には、緑と赤の２色ＬＥＤ１１６が設けられ、その色によってスタートキー１１２が使える状態にあるか否かを示す。ストップキー１１３は、稼働中の動作を止めるときに操作される。ＩＤキー１１４は、使用者のユーザＩＤを入力する時に用いられる。リセットキー１１５は、操作部１１０からの設定を初期化する時に用いられる。
【００２６】
＜操作画面表示＞
図４は、操作部１１０上に表示される操作画面１１１の一例を示す図である。
【００２７】
操作部１１０の操作画面の上部には、タッチキーからなり、各種の機能を選択するためのコピータブ、送信／ＦＡＸタブ、ボックスタブ、拡張タブが表示される。
【００２８】
送信／ＦＡＸタブを押下すると、複写機１００で読み取った画像をＬＡＮ１２０上の機器にＥ−メール送信またはＦＴＰ送信したり、また公衆回線１３０を使ってファクシミリ送信したりするための設定画面（図示せず）を表示する。
【００２９】
ボックスタブを押下すると、複写機１００上で読み取った画像をＨＤＤ２０４内のボックス領域に保存したり、ボックス領域に保存されている画像データを指定して印刷したり、ＬＡＮ１２０上の機器に送信したりするための設定画面（図示せず）を表示する。
【００３０】
また、５つ以上の機能がコントローラユニット２００に装備されている場合は、拡張キーを押下することにより別の機能が画面に表示されるようになっている。
【００３１】
図４は、コピータブのタッチキーが押下されたときのコピー機能の設定確認エリア（基本設定画面）を表している。コピー機能に関する表示は領域５００で行なわれ、領域５００の上から、「コピーできます」が表示されている領域には、コピー機能で表示すべきステータスを表示し、その下の領域には、倍率、選択給紙段、置数等が表示される。
【００３２】
また、設定確認エリア５０１には、コピー色、原稿タイプ、倍率、給紙段、両面設定（読み取りと、印刷の両方）、フィニッシング（排紙順序、ステープル、シフト排紙）などの設定が表示されている。図４の内容は以下のジョブ（コピー）設定を表しており、この状態でジョブを実行することができる。
【００３３】
・コピー色 ＝ 自動カラー選択
・原稿タイプ ＝ 文字/写真/地図
・濃度 ＝ 自動
・倍率 ＝ １００％
・給紙段 ＝ １段目（Ａ４：普通紙：８０〜１０５ｇ／ｍ2）
・原稿読み取り ＝ 片面
・印刷 ＝ 両面
・フィニッシング ＝ ステープル＋ソート
＜設定確認エリアと設定キーの対応＞
この設定確認エリア５０１に表示される設定（例えば、倍率１００％（等倍））の設定の表示の下に５０２で示されるように、相当する設定事項が設定エリアとしてグルーピングされている。この例以外、たとえば設定確認エリアの表示領域と設定エリアを枠で括っても関連が分かる様にしてもよい。
【００３４】
また、各設定キーで行われる設定の詳細な内容を表現するとユーザが設定していない情報が画面内に氾濫してしまう。また、各キーの設定情報を表示する面積を必要とするため一画面に載せられるキーの個数が少なくなってしまう。そのため、各設定キー毎に設定内容の詳細表示を行わず、そのキーを選択した場合に設定確認エリア５０１において、より詳細な設定内容を表示する。たとえば、原稿タイプでは設定キーではアイコンのみの表現に留め、このキーを押下することにより、対応する上部の設定確認エリアに『文字／写真／地図』や『文字』、『写真』、『印刷写真』、『印画紙写真』など文字による詳細な設定内容が表示されるようにする。同様に、給紙段では、キーでは給紙段とサイズ・坪量のみ表現するが、このキーを押下することによって、設定確認エリアにキーで表現されている情報とともに『普通紙』、『色紙』、『厚紙』、『薄紙』、『ＯＨＰ』、『タブ紙』などの用紙タイプが表示される。
【００３５】
＜操作画面におけるキー表示処理＞
図５は、操作画面１１１に各キーを表示する際の処理を説明するためのフローチャートである。つまり、操作画面１１１上にキーを表示するには、キーが有効表示できるか、つまり選択できるか否かを全てのキーについて順にチェックする必要がある。その処理を示しているのが図５のフローチャートである。なお、このフローチャートに基づく処理はＣＰＵ２０１によって制御される。
【００３６】
ステップＳ１０１において、当該キーの機能は設定可能か、つまり有効か否かがチェックされる。たとえば、図４におけるキー５０５が現段階において有効に表示できるかがチェックされる。有効に設定可能である場合には、処理はステップＳ１０２に移行し、有効設定できない場合には、処理はステップＳ１０３に移行する。
【００３７】
ステップＳ１０３では、当該キーを無効状態、つまり選択できないように無効表現で操作画面上に表示する。例えば、Ａ５紙が紙なしの場合には、給紙表示５０６が網掛けにしたり、点滅させる等である。そして、ステップＳ１０８に移行し、全てのキーにいて当該処理を実行したかがチェックされ、全てのキーについて処理が終了していれば、キー表示処理自体の動作が完了する。他に処理すべきキーが残っている場合には、処理はステップＳ１０１に戻る。
【００３８】
ステップＳ１０２では、当該キーにコンフリクトする機能が現在設定されているかがチェックされる。ここで、コンフリクトとは、当該キーに対応する機能と排他的な関係にあることをいう。つまり、一方を選択するともう一方を選択できない関係である。コンフリクト機能が設定されている場合には、処理はステップＳ１０５に移行し、設定されていない場合には、処理はステップＳ１０４に移行する。
【００３９】
ステップＳ１０５では、当該キーをコンフリクト状態にして、コンフリクト表現で操作画面上に表示する。このコンフリクト表現は、例えば、図９の９０３で示されるような表現（！マーク）になる。そして、ステップＳ１０８に移行し、全てのキーにいて当該処理を実行したかがチェックされ、全てのキーについて処理が終了していれば、キー表示処理自体の動作が完了する。他に処理すべきキーが残っている場合には、処理はステップＳ１０１に戻る。
【００４０】
ステップＳ１０４では、当該キーの機能が設定されているか、つまり、ユーザによりキーが押下されたかがチェックされる。押下されている場合には、処理はステップＳ１０７に移行し、押下されていない場合には、処理はステップＳ１０６に移行する。
【００４１】
ステップＳ１０７では、当該キーを選択状態（押下状態）であることを示す表現で画面上に表示する。例えば、図４において網掛け表示されているキー５０７等が選択されているキーである。
【００４２】
ステップＳ１０６では、当該キーが無効状態・コンフリクト状態・選択状態以外であるので、当該キーを押下可能であることを示すように操作画面上に表示する。
【００４３】
ステップＳ１０８では、全てのキーについてステップＳ１０１乃至Ｓ１０７までの処理が終了しているか否かがチェックされ、終了してなければ処理は、ステップＳ１０９で次のキーに処理対象を移行し、ステップＳ１０１に戻る。終了していれば図５の処理は終了する。
【００４４】
なお、図５に基づく処理は、画面が切り替わるたびに実行される。例えば、操作画面上で「変倍」を選択し、そこで所定の縮小サイズに設定したとする。その縮小コピーの設定画面を閉じた場合には、再度図５のキー表示処理が実行される。
【００４５】
＜応用設定表示処理＞
本実施形態の画像処理装置では、機能毎にカテゴライズされた応用設定キーに割り当てられ、このキーを押下することにより設定画面を呼び出して機能設定する。例えば、図４のレイアウトキー５０３を押下すると、レイアウトの応用設定画面６０１が表示される（図６）。この応用設定画面６０１を用いて、読み込み原稿（画像）をどのようなレイアウトにするかを決定することができる。図６に示されるように、レイアウトはＮ個の原稿（読み込み画像）を１枚の用紙に並べてプリントするものであり、２ｉｎ１、４ｉｎ１、６ｉｎ１、８ｉｎ１が用意され、それらに対応したキー６０１１〜６０１４が表示される。また、両面原稿か否かを指定する両面原稿キー６０１６、両面プリントキー６０１７も表示される。さらに両面プリントには、片面原稿から両面プリントする機能、両面原稿から両面プリント機能があり、何れかを選択することができるようになっている。
【００４６】
また、エリア指定キー６０１８を押下すると、図８で示されるように、応用設定画面８０１が操作画面いっぱいに表示されるようになる。エリア指定は、表示すべきキーの数が多く、応用設定画面６０１の表示エリアでは充分でない場合や、実際に読み込んだ原稿画像を表示してレイアウト処理する場合に用いられるものである。表示を大きくする以外にも次ページを設けるようにしても良い。
【００４７】
なお、キー選択を解除するための解除キーこの応用設定画面６０１は、可能な限り図６に示すように設定確認エリア５０１に掛からないように設計される。この状態でも設定が完了している限りジョブを実行することが可能である。
【００４８】
以下、図７のフローチャートを用いて上述した応用設定画面の表示処理について説明する。なお、このフローチャートに基づく処理はＣＰＵ２０１によって制御される。
【００４９】
ステップＳ２０１において、画面のベース（応用画面６０１のベース）を表示する。
【００５０】
ステップＳ２０２では、表示すべきキー（例えば、Ｎｉｎ１キー６０１０等）があるか否かが判断される。図６の応用設定画面の例では、表示すべきキーとして６０１０から６０１９が用意されている。表示すべきキーがある場合には、処理はステップＳ２０３に移行し、表示すべきキーが無い場合（全て表示し終わった場合）には、処理はステップＳ２０４に移行する。
【００５１】
ステップＳ２０３では、キー表示処理（図５の処理）が各キーごとに実行される。
【００５２】
ステップＳ２０４では、設定確認エリア５０１に表示すべきインディケータがあるかが判断される。ここでインディケータとは、デフォルト設定から変更された部分を示す表示であり、例えば、図９の表示９０２がそれに当たる。このように、デフォルト設定から変更された設定がある場合には、インディケータ表示を実行するために、処理はステップＳ２０５に移行する。デフォルト変更表示処理については後述する（図１０）。一方、デフォルト設定からの変更が無い場合、或いは全ての変更を反映させた場合には、処理はステップＳ２０６に移行する。
【００５３】
ステップＳ２０６では、表示すべきグラフィックがあるか否か判断される。ここでグラフィック表示とは、設定確認エリア５０１に表示されるグラフィック（アイコン）表示６０２である。表示すべきグラフィックがある場合には、処理はステップＳ２０７に移行し、順々に表示すべきグラフィックを設定確認エリア５０１に表示する。
【００５４】
そして、全てのグラフィック表示が実行されれば、応用設定画面表示の処理が終了する。この処理が終了すると、操作画面上の表示は図６に示されるようなものになるのである。
【００５５】
この応用設定画面６０１で所定の設定（例えば、上述のレイアウトの他、図６には図示されてはいないが、読込原稿編集等も含まれる）がなされた場合、画面を閉じなくてもジョブ（印刷開始）を実行可能である。一方、画面を閉じた場合でも、その応用設定画面を呼び出したキー５０３が選択状態（図６で網掛けで示されている）にすることで、何らかの設定がなされていることをユーザに伝えることができる。なお、本実施形態では、選択状態を示す場合、該当キーを網掛けにしているが、キーの色を変更する様にしてもよい。
【００５６】
また、図８で示されるように、設定項目が多すぎて設定内容が図６の応用設定画面に収まらない場合には、設定確認エリアが隠れてしまっているため、設定内容が確認できない。このため、コピー実行ボタンを押下してもジョブを実行することはできないようになっている。なぜなら、設定確認エリアが見えない状態で実行キーを押下した場合、どのようなジョブが実行されるのか不明確であり、実際に装置がどのように動作するのか不明であるため、ミスコピーを防止する必要があるからである。
【００５７】
この場合にジョブを実行するには、この全画面設定画面８０１を閉じて、応用設定画面６０１に戻るか、図４の状態までもどらなければならない。全画面設定画面８０１を閉じて図４または応用設定画面６０１に状態に戻った場合は、その画面を呼び出したキーが選択状態になっていることを示すことで、何らかの設定がなされていることをユーザに伝える。
【００５８】
＜デフォルト設定とユーザ設定の識別＞
図４の設定状態だけを見ると、実行されるジョブの全体像を把握することが可能だが、どの設定がデフォルトであり、どの設定をユーザが変更したのかが明示されていない。よって、デフォルト設定とユーザ設定を識別可能になれば、ユーザにとって使い勝手が非常に良くなる。従って、本実施形態に係る複写機は、デフォルト設定とユーザ設定の識別機能を備えている。
【００５９】
仮に、図４の状態を装置のデフォルト設定状態とし、この状態から倍率を自動変倍に変更するオペレーションを例にとって説明する。
【００６０】
図９が変更した場合の例である。ユーザが自動変倍キー９０１を押下したことにより、倍率の選択状態が、等倍から自動変倍に変わっている。これに伴い、設定確認エリアも、１００％から『自動変倍』と言う表示に変わっている。それと同時に、この設定がユーザによって行われたものであることを示すアンダーライン９０２が表示されている。これにより、ユーザは設定確認エリアに表示されている設定内容のなかで、どれが自分で行った設定かを容易に確認することが可能となる。
【００６１】
図１０は、以上のような識別処理を実行する動作を説明するためのフローチャートである。なお、このフローチャートに基づく処理はＣＰＵ２０１によって制御される。
【００６２】
ステップＳ３０１では、設定についてのデフォルト値をＲＯＭ２０３から読み出す。そして、最初の設定項目に設定する。この場合、設定される項目の数をＮとすると、Ｎ＝１に設定されることになる。
【００６３】
次に、ステップＳ３０２では、設定項目中に表示すべき設定インディケータ（例えば、図９の９０２）があるか判断される。無い場合には、当該識別処理自体を終了させる。設定インディケータがある場合には、処理はステップＳ３０３に移行する。
【００６４】
ステップＳ３０３では、最初の設定項目（Ｎ＝１）がデフォルト値から変更されているか判断される。変更されていれば、処理はステップＳ３０４に移行し、変更されていなければ、処理はステップＳ３０５に移行する。
【００６５】
ステップＳ３０４では、デフォルト値から変更された設定項目の下にインディケータ（例えば、図９の９０２）を表示する。なお、ここでは下にインディケータを表示しているが、これに限らず変更されたことが識別できればどのような形態でもよい。
【００６６】
ステップＳ３０５では、次の項目に対して変更されたか否かをチェックするため、チェック対象を次の項目（Ｎ＝Ｎ＋１）に設定し、処理はステップＳ３０２に戻る。
【００６７】
＜設定コンフリクト表現＞
図９は、デフォルト設定の「等倍」から「自動変倍」に変更した例を示しているが、この変更に伴って、その設定とコンフリクト状態にある項目（排他関係にある項目）がコンフリクト表現９０３として操作画面上に表示される。このようなコンフリクトを生じる理由は、自動変倍において原稿サイズから用紙サイズへの倍率を自動で計算するためには予め用紙サイズが確定している必要があるためである。逆に、もし自動用紙選択が選択されていたならば、自動変倍は選択できない。これは自動用紙選択機能が作られる画像サイズに合った用紙を選択には、予め原稿サイズと変倍率が確定している必要があるためである。
【００６８】
なお、どの機能とどの機能がコンフリクトの関係にあるのかについては、予めテーブルによって登録されている。
【００６９】
このように画像処理装置の様々な機能の中には、互いにコンフリクトし合う関係のものも少なくない。このような場合、これまでは他の設定とコンフリクトして選択不可能になった機能のキーを選択不可にしたり、キー自体を非表示にしたりすることで、コンフリクトした機能を設定できなくするように設計されていたが、これには、ユーザが本当はそのコンフリクトして使えない機能をこそ選択したい場合であっても、なぜその機能が使えないのか分からないという問題があった。
【００７０】
そこで、図９の自動用紙選択キー１００３のように、他の設定とコンフリクトしていることを表現している。
【００７１】
この例では、他の設定不能な機能（その機能に必要な消耗品や装置が不足している場合など）キーを表す表現（網掛け表示）に加え、コンフリクトキーであることを示すマーク（！マーク）を付加している。
【００７２】
更にこのコンフリクトしている機能の設定キー（自動用紙選択キー９０３）を押下可能にして、キー押下により図１１のようなコンフリクト情報１１０１を表示する。このコンフリクト情報は画面内にタッチ（操作表示画面のどこでもよい）することで、閉じることができ、操作画面の表示が図９に戻る。この例ではコンフリクト情報１１０１はコンフリクトの原因となっている機能名（自動変倍）を一つだけ表示している。仮に、あるコンフリクト機能の原因となる設定が複数ある場合は、押下されたキーに対応する機能と衝突する機能を検索し、はじめに発見された機能名を一つ表示する。ユーザがその機能設定を解除すると、再び表示されている機能設定キー一つ一つに対して既に設定されている機能とのコンフリクトがないかを検索する。
【００７３】
その結果、複数の機能設定とコンフリクトしている場合には、１つだけ解除してもまだ他の機能とコンフリクトがあるので、コンフリクト表現は解除されない。この場合、コンフリクトキーを再び押下すると、押下されたキーに対応する機能と衝突する機能を検索し、はじめに発見された機能名を１つ表示する。
【００７４】
複数の機能設定とコンフリクトしている場合には以上のステップを繰り返すことで、最終的にコンフリクト状態を解除することが可能となる。ユーザが自動変倍ではなく自動用紙選択を設定したい場合には、コンフリクト情報エリア１１０１でコンフリクトしていると設定を解除することにより、真に求める設定を行うことが可能になる。
【００７５】
たとえば、図９の場合から、等倍キーを押下して図４に状態に一旦戻し、そこから自動用紙選択キーを押下すると図１２のような表示になる。自動用紙選択がデフォルト設定から変更されているため、ユーザ設定をあらわすアンダーライン（設定インディケータ１２０１）が設定確認エリアに表示される。既に説明したように逆にコンフリクトする自動変倍キーがコンフリクト表現１２０２で表示される。この自動変倍キーを押下すると、今度はコンフリクト情報エリア１１０１に自動用紙選択が表示される。
【００７６】
なお、コンフリクト表現の別の形態として、コンフリクトマーク（！）の他に、コンフリクトを生じているキーの文字を色文字にしたり、キーのベース色を他のキーと異なるようにしてもよい。
【００７７】
図１３は、以上のようなコンフリクト情報表示処理を説明するためのフローチャートである。このコンフリクト情報表示は、コンフリクト表現（例えば、！マーク）で表示されているキーを押下したときに実行される処理である。
【００７８】
コンフリクト表現で表示されたキーが押下されると、ステップＳ４０１において、その押下されたキーとコンフリクトすると設定されているキー（機能）を検索する。
【００７９】
そして、ステップＳ４０２では、ステップＳ４０１で検索して取得した機能の情報をコンフリクト情報エリア１１０１に表示する。
【００８０】
ステップＳ４０３では、操作画面がタッチされたかが判断される。このとき、操作画面中の各キーは反応しないようになっている。タッチされた場合には処理は終了する。
【００８１】
タッチされていない場合には、処理はステップＳ４０４に移行するが、ここでは３秒経ったかが判断され、経っている場合には処理は終了する。経っていない場合には処理はステップＳ４０３に戻る。
【００８２】
なお、デフォルト設定（例えばＡ４）から自動用紙に変更した場合に、図９のインディケータ９０２の代わりに、自動用紙の文字自体を色文字表現してもよい。その場合、図９と同様に、自動変倍キーはコンフリクト表現で表示される。また、このような場合、自動用紙のキーのベースカラーを他のキーとは異なる色で表しても良い。
【００８３】
また、図１４に示されるようにキーにコンフリクト機能を表すマーク１４０１を表示しても良い。図１５に示されるように、設定確認エリアに表現されているコンフリクト機能にマーク１５０１を表示してもよい。さらに、設定確認エリアに表現されているコンフリクト機能（例えば、自動用紙）を色文字で表現してもいい。また、設定確認エリアに表現されているコンフリクト機能（例えば、自動用紙）の部分のバックグランドの色を変更することで、どの機能とコンフリクトしているのかを示しててもよい。
【００８４】
Ｂ．第２の実施形態
複写機の構成や基本的動作は、第１の実施形態と同様であるので、異なる部分のみを説明することとする。
【００８５】
＜コンフリクト情報エリアにおける機能設定キーの表示＞
第２の実施形態は、図１６に示されるように、コンフリクト表現されているキー（例えば、自動用紙キー１６０６）を押下したとき、コンフリクト情報エリア１６００に設定された機能のうち、押下されたキーに対応する機能とコンフリクトが生じている機能の全てを表示するものである。図１６は、自動用紙機能は自動変倍機能及び機能Ａ乃至Ｄとコンフリクトを起こしていることを示している。
【００８６】
これら設定だれた各機能に対応するキーを押下することにより、その機能の設定を直接行うか、設定を行うための画面を開くことができる。
【００８７】
自動変倍キー１６０１を選択状態で押下すると、図１７のような画面が表示される。ここで『はい』を押下すると、変倍率は等倍（１００％）に変更され、表示は図４の状態になり、『いいえ』を選択すると図９の表示に戻る。
【００８８】
仮に機能Ａの設定画面が図６のような画面であった場合、コンフリクト情報エリア１５００の機能Ａキー１５０３を押下するとそのまま図６の表示になるのである。
【００８９】
同様に、機能Ｂの設定画面が図８のように設定確認エリアに掛かる画面である場合は、コンフリクト情報エリア１６００の機能Ｂキー１６０４を押下すると、そのまま図８の表示がなされ、ジョブの投入（コピー実行）は禁止状態になる。
【００９０】
第２の実施形態では、コンフリクト情報画面に収まりきらないほどの機能とコンフリクトしている場合を想定して説明する。１画面にコンフリクト情報が全て収まりきらなかった場合は、コンフリクト情報のスクロールキー１６０５が現れる。このスクロールキー１６０５を押下することによって、複数画面のコンフリクト情報も切り替えて表示することが可能になる。
【００９１】
第２の実施形態では、コンフリクト情報画面に収まりきらないほどの機能とコンフリクトしている場合を想定して説明する。１画面にコンフリクト情報が全て収まりきらなかった場合は、コンフリクト情報のスクロールキー１６０５が現れる。このスクロールキー１６０５を押下することによって、複数画面のコンフリクト情報も切り替えて表示することが可能になる。
【００９２】
なお、第２の実施形態では、複数の設定とコンフリクトする機能の場合は、関連する全ての設定をコンフリクト情報エリア１６００に列挙しているが、これに限らず、最初に検出したコンフリクト設定から順次１つずつコンフリクト情報エリア１６００に表現してもよい。この場合は、コンフリクトしている全ての設定が解除されるまで、コンフリクトしている機能のキーはコンフリクト表現のままになる。 
Ｃ．各実施形態の効果
以上の説明から明らかなように、先優先の操作性において、消耗品なしなどの選択不能状態と、他の設定による選択不能状態（コンフリクト状態）を区別して表示する（コンフリクト表現）。また、このコンフリクト表現されているキーを押下することにより、どの設定により設定不能になっているのか（コンフリクト情報）を表示することで、ユーザが望む操作を可能にする情報を簡単に入手できる環境を提供することができる
また、操作部の一部に設定確認エリアを設け、この部分に主要な設定内容を常に表示し、他の設定中にもこのエリアには極力掛からないように画面設計を行い、このエリアを表示できない場合にはジョブの投入を禁止することで、ユーザが自分の行った設定を把握しやすくすることで、誤操作を防ぐことができる。
【００９３】
Ｄ．その他の実施形態
本発明では、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９４】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００９５】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００９６】
また、上記実施の形態の機能を実現するソフトウェアのプログラムコードがネットワークを介して配信されることにより、システム又は装置のハードディスクやメモリ等の記憶手段又はＣＤ-ＲＷ、ＣＤ-Ｒ等の記憶媒体に格納され、そのシステム又は装置のコンピュータ(又はＣＰＵやＭＰＵ)が当該記憶手段や当該記憶媒体に格納されたプログラムコードを読み出して実行することによっても、達成されることは云うまでもない。
【図面の簡単な説明】
【００９７】
【図１】本発明の実施形態に係る複写機のブロック図である。
【図２】図１に示すスキャナ１４０およびプリンタ１５０のハードウェア構成を示す側断面図である。
【図３】図１に示す操作部１１０を示す図である。
【図４】本実施形態に係る基本操作画面の具体例を示す図である。
【図５】操作画面におけるキー表示処理を説明するためのフローチャートである。
【図６】応用設定画面の具体例を示す図である。
【図７】応用設定画面表示の動作を説明するためのフローチャートである。
【図８】全画面設定表示画面の具体例を示す図である。
【図９】デフォルト設定から設定を変更した場合の画面表示例を示す図である。
【図１０】デフォルト設定から設定を変更した場合の表示処理を説明するためのフローチャートである。
【図１１】コンフリクト情報エリアが現われた画面表示の例を示す図である。
【図１２】コンフリクト表現で表示されたキーが現われた画面表示の例を示す図である。
【図１３】コンフリクト表現で表示されたキーが押下された場合の処理を説明するためのフローチャートである。
【図１４】コンフリクト表現の別の形態を示す図である。
【図１５】コンフリクト表現のさらに別の形態を示す図である。
【図１６】第２の実施形態に係るコンフリクト情報エリアの表示例を示す図である。
【図１７】コンフリクトに関与する選択機能を解除する際の確認画面の例を示す図である。
【図１】
2006119542.tif 000003
【図２】
2006119542.tif 000004
【図３】
2006119542.tif 000005
【図４】
2006119542.tif 000006
【図５】
2006119542.tif 000007
【図６】
2006119542.tif 000008
【図７】
2006119542.tif 000009
【図８】
2006119542.tif 000010
【図９】
2006119542.tif 000011
【図１０】
2006119542.tif 000012
【図１１】
2006119542.tif 000013
【図１２】
2006119542.tif 000014
【図１３】
2006119542.tif 000015
【図１４】
2006119542.tif 000016
【図１５】
2006119542.tif 000017
【図１６】
2006119542.tif 000018
【図１７】
2006119542.tif 000019